(57)【要約】 【課題】ドアの不要な開状態となる予測情報が得られた場合には、ドアが不必要に開くことがないようにする。【解決手段】自動ドアの制御変更装置は、自動ドアが不要な開状態となるか否かを予測する予測部と、予測部によって自動ドアの不要な開状態が予測されたときに、自動ドア付近の被検知物を検知して自動ドアを開動作させるために設けられている検知エリアを自動ドアの不要な開状態が予測されていない場合に比べて縮小した状態で検知する制御又は検知エリアでの被検知物の検知に代え人間の操作に基づいて自動ドアを開く制御に変更するエリア制御部と を備える。【選択図】図１
2019218783.tif 000002
【特許請求の範囲】
【請求項１】
自動ドアが不要な開状態となるか否かを予測する予測部と、
前記予測部によって前記自動ドアの不要な開状態が予測されたときに、前記自動ドア付近の被検知物を検知して前記自動ドアを開動作させるために設けられている検知エリアを前記自動ドアの不要な開状態が予測されていない場合に比べて縮小した状態で検知する制御又は前記検知エリアでの前記被検知物の検知に代え人間の操作に基づいて前記自動ドアを開く制御に変更するエリア制御部と を備える、自動ドアの制御変更装置。
【請求項２】
前記自動ドア付近の被検知物を検知する第１検知部を更に備え、
前記予測部は、前記自動ドアの開状態から閉状態に至るまでの間で前記第１検知部が前記被検知物を検知していない場合に、前記不要な開状態となることを予測する、請求項１に記載の自動ドアの制御変更装置。
【請求項３】
前記検知エリア外を撮影するカメラ部を更に備え、
前記予測部は、前記カメラ部で撮影した画像から前記自動ドアに向かって移動する前記被検知物が存在していないと判断した場合に、前記不要な開状態となることを予測する、請求項１又は２に記載の自動ドアの制御変更装置。
【請求項４】
前記自動ドア付近の降雪及び降雨の少なくとも一方を検知する第２検知部を更に備え、
前記予測部は、前記第２検知部が降雪及び降雨の少なくとも一方を検知している場合に、前記不要な開状態となることを予測する、請求項１乃至３のいずれか一項に記載の自動ドアの制御変更装置。
【請求項５】
前記自動ドア付近の環境情報を取得する第３検知部を更に備え、
前記エリア制御部は、前記第３検知部が検知した環境情報に応じた重み情報で重み付けした環境補正情報に基づいて、前記不要な開状態となることを予測する、請求項１乃至４のいずれか一項に記載の自動ドアの制御変更装置。
【請求項６】
前記環境情報は、温度、湿度、気圧、風速、騒音、粉塵、花粉、粒子状物質、化学物質、及び黄砂の少なくとも一つの情報を含む、請求項５に記載の自動ドアの制御変更装置。
【請求項７】
前記重み情報は、前記自動ドアの内外の温度差、前記自動ドアの内外の湿度差、前記自動ドアの内外の気圧差、前記自動ドアの外側の風速、前記自動ドアの外側の騒音レベル、前記自動ドアの外側の粉塵量、前記自動ドアの外側の花粉量、前記自動ドアの外側の粒子状物質量、前記自動ドアの外側の化学物質量、及び前記自動ドアの外側の黄砂の量の少なくとも一つに応じた値の情報を含む、請求項５又は６に記載の自動ドアの制御変更装置。
【請求項８】
前記エリア制御部は、前記不要な開状態となることが所定期間内に所定回数以上検出された場合に、前記検知エリアを前記所定回数以上検出されない場合に比べて縮小した状態で検知し、前記重み情報が大きいほど、前記所定回数の値を小さくする、請求項５乃至７のいずれか一項に記載の自動ドアの制御変更装置。
【請求項９】
前記第３検知部は、前記自動ドアの内外それぞれの前記環境情報を検知する一対の第１センサと、前記自動ドアの外側の前記環境情報を検知する第２センサと、前記自動ドアの内外共通に用いられる前記環境情報を検知する第３センサと、の少なくとも一つを有する、請求項５乃至８のいずれか一項に記載の自動ドアの制御変更装置。
【請求項１０】
前記縮小した状態で検知する前の前記検知エリア内で前記被検知物を検知する第４検知部と、
前記自動ドアの近傍の所定箇所に前記人間が触れたことを検知する第４センサと、前記人間が前記自動ドアを手動で開方向に移動させたことを検知する第５センサとの少なくとも一方を有する第５検知部と、を更に備え、
前記エリア制御部は、前記検知エリアを縮小しない状態では前記第４検知部の検知結果に基づいて前記自動ドアを開く制御に変更し、前記エリア制御部が人間の操作に基づいてドアを開く制御に変更する場合には前記第５検知部の検知結果に基づいて前記自動ドアを開く制御に変更する、請求項１乃至９のいずれか一項に記載の自動ドアの制御変更装置。
【請求項１１】
前記縮小した状態で検知する前の前記検知エリア内で被検知物を検知する第４検知部と、
前記検知エリアがゼロより大きくて、かつ前記第４検知部の検知可能範囲より小さい第５検知部と、を更に備え、
前記エリア制御部は、前記検知エリアを縮小しない状態では前記第４検知部の検知結果に基づいて前記自動ドアを開く制御に変更し、前記エリア制御部が前記検知エリアを縮小した状態で検知する制御に変更する場合には前記第５検知部の検知結果に基づいて前記自動ドアを開く制御に変更する、請求項１乃至９のいずれか一項に記載の自動ドアの制御変更装置。
【請求項１２】
前記エリア制御部は、前記検知エリアを縮小した状態で検知する前後で、前記検知エリアの検知可能範囲を同一とし、前記検知エリアを縮小した状態で検知するときには前記検知エリア内の一部の領域において前記検知エリアを縮小した状態で検知する前よりも前記被検知物を検知しにくくする、請求項１１に記載の自動ドアの制御変更装置。
【請求項１３】
前記エリア制御部は、前記検知エリアを縮小した状態で検知するときには、前記被検知物を検知する条件を前記検知エリアを縮小した状態で検知する前よりも厳しくする、請求項１１又は１２に記載の自動ドアの制御変更装置。
【請求項１４】
前記被検知物を検知する条件は、前記被検知物の移動速度及び移動方向の少なくとも一方を対応する閾値と比較した結果を含む、請求項１３に記載の自動ドアの制御変更装置。
【請求項１５】
前記エリア制御部が前記検知エリアを縮小した状態で検知することを通知する通知部を備える、請求項１乃至１４のいずれか一項に記載の自動ドアの制御変更装置。
【請求項１６】
自動ドアが不要な開状態となるか否かを予測する予測部と、
前記予測部によって前記自動ドアの不要な開状態が予測されたときに、前記自動ドア付近の被検知物を検知するための閾値を前記被検知物がより検知しにくくなる値に変更する閾値制御部を備える、自動ドアの制御変更装置。
【請求項１７】
前記閾値制御部は、前記自動ドアが開状態である場合に、前記予測部の予測に基づいて前記閾値を前記被検知物がより検知しにくくなる値に変更する、請求項１６に記載の自動ドアの制御変更装置。
【請求項１８】
前記閾値制御部は、前記自動ドアの内外の気圧差と、前記自動ドアの外側の風速と、前記自動ドアの開閉動作領域内に存在する異物との少なくとも一つの情報を含む前記予測部の予測に基づいて前記閾値を前記被検知物がより検知しにくくなる値に変更する、請求項１６又は１７に記載の自動ドアの制御変更装置。
【請求項１９】
前記閾値制御部は、前記予測部の予測に応じた重み情報で重み付けした予測補正情報に基づいて、前記閾値を前記被検知物がより検知しにくくなる値に変更する、請求項１７乃至１８のいずれか一項に記載の自動ドアの制御変更装置。
【請求項２０】
前記重み情報は、前記自動ドア付近の通行量と、前記自動ドア付近に存在する特定種類の人間の数との少なくとも一方を含む、請求項１９に記載の自動ドアの制御変更装置。
【請求項２１】
前記自動ドアの内外それぞれの第１環境情報を検知する一対の第１センサと、前記自動ドアの外側の第２環境情報を検知する第２センサと、前記自動ドアの内外共通に用いられる第３環境情報を検知する第３センサと、の少なくとも一つを含む検知部を備え、
前記予測部は、前記第１、第２及び第３環境情報の少なくとも一つに基づいて、前記自動ドアが不要な開状態となるか否かを予測する、請求項１６乃至２０のいずれか一項に記載の自動ドアの制御変更装置。
【請求項２２】
建物開口のドア付近に設けられた検知エリア内の被検知物を検知する自動ドアセンサと、
前記自動ドアセンサの検知状態に応じて自動ドアを開く自動ドア制御部と、
前記自動ドア制御部が前記自動ドアを不要に開状態とするか否かを予測する予測部と、
前記予測部によって前記自動ドアの不要な開状態が予測されたときに、前記検知エリアを前記自動ドア制御部が前記自動ドアを不要に開状態とすると予測されていない場合に比べて縮小した状態で検知する制御又は人間の操作に基づいて前記自動ドアを開く制御に切り替えるエリア制御部と、を備える、自動ドア装置。
【発明の詳細な説明】
【技術分野】
【０００１】
本発明は、自動ドアの制御変更装置及び自動ドア装置に関する。
【背景技術】
【０００２】
使用者の手間を要することなく、自動ドアの内外の環境に応じて自動的にドアの開閉速度や開閉ストロークを最適の設定値に調整する技術が提案されている（特許文献１参照）。
【先行技術文献】
【特許文献】
【０００３】
【特許文献１】特開平７−１８９４６号公報
【発明の概要】
【発明が解決しようとする課題】
【０００４】
自動ドアの内外の環境によっては、ドアを開くことが望ましくない場合もあるが、特許文献１には、ドアを開くことが望ましくない環境条件を検出する処理は行っておらず、明らかにドアが開かない方がよい場合にも、通行者が所定の検知エリア内に存在すると、ドアが開いてしまう。このため、ドアの外側の埃や風雨などがドアを通り抜けてしまい、ドアの内側の環境条件が悪化したり、風圧や異物などによりドアを駆動するモータに過大な負荷がかかるなどの不具合が生じるおそれがある。
【０００５】
本発明は、上述した点を考慮してなされたものであり、ドアの不要な開状態となる予測情報が得られた場合には、ドアが不必要に開くことがないようにした自動ドアの制御変更装置及び自動ドア装置を提供するものである。
【課題を解決するための手段】
【０００６】
上記の課題を解決するために、本発明の一態様によれば、自動ドアが不要な開状態となるか否かを予測する予測部と、
前記予測部によって前記自動ドアの不要な開状態が予測されたときに、前記自動ドア付近の被検知物を検知して前記自動ドアを開動作させるために設けられている検知エリアを前記自動ドアの不要な開状態が予測されていない場合に比べて縮小した状態で検知する制御又は前記検知エリアでの前記被検知物の検知に代え人間の操作に基づいて前記自動ドアを開く制御に変更するエリア制御部と を備える、自動ドアの制御変更装置が提供される。
【０００７】
前記自動ドア付近の被検知物を検知する第１検知部を更に備え、
前記予測部は、前記自動ドアの開状態から閉状態に至るまでの間で前記第１検知部が前記被検知物を検知していない場合に、前記不要な開状態となることを予測してもよい。
【０００８】
前記検知エリア外を撮影するカメラ部を更に備え、
前記予測部は、前記カメラ部で撮影した画像から前記自動ドアに向かって移動する前記被検知物が存在していないと判断した場合に、前記不要な開状態となることを予測してもよい。
【０００９】
前記自動ドア付近の降雪及び降雨の少なくとも一方を検知する第２検知部を更に備え、
前記予測部は、前記第２検知部が降雪及び降雨の少なくとも一方を検知している場合に、前記不要な開状態となることを予測してもよい。
【００１０】
前記自動ドア付近の環境情報を取得する第３検知部を更に備え、
前記エリア制御部は、前記第３検知部が検知した環境情報に応じた重み情報で重み付けした環境補正情報に基づいて、前記不要な開状態となることを予測してもよい。
【００１１】
前記環境情報は、温度、湿度、気圧、風速、騒音、粉塵、花粉、粒子状物質、化学物質、及び黄砂の少なくとも一つの情報を含んでもよい。
【００１２】
前記重み情報は、前記自動ドアの内外の温度差、前記自動ドアの内外の湿度差、前記自動ドアの内外の気圧差、前記自動ドアの外側の風速、前記自動ドアの外側の騒音レベル、前記自動ドアの外側の粉塵量、前記自動ドアの外側の花粉量、前記自動ドアの外側の粒子状物質量、前記自動ドアの外側の化学物質量、及び前記自動ドアの外側の黄砂の量の少なくとも一つに応じた値の情報を含んでもよい。
【００１３】
前記エリア制御部は、前記不要な開状態となることが所定期間内に所定回数以上検出された場合に、前記検知エリアを前記所定回数以上検出されない場合に比べて縮小した状態で検知し、前記重み情報が大きいほど、前記所定回数の値を小さくしてもよい。
【００１４】
前記第３検知部は、前記自動ドアの内外それぞれの前記環境情報を検知する一対の第１センサと、前記ドアの外側の前記環境情報を検知する第２センサと、前記ドアの内外共通に用いられる前記環境情報を検知する第３センサと、の少なくとも一つを有してもよい。
【００１５】
前記縮小した状態で検知する前の前記検知エリア内で前記被検知物を検知する第４検知部と、
前記自動ドアの近傍の所定箇所に前記人間が触れたことを検知する第４センサと、前記人間が前記自動ドアを手動で開方向に移動させたことを検知する第５センサとの少なくとも一方を有する第５検知部と、を更に備え、
前記エリア制御部は、前記検知エリアを縮小しない状態では前記第４検知部の検知結果に基づいて前記ドアを開く制御に変更し、前記エリア制御部が人間の操作に基づいてドアを開く制御に変更する場合には前記第５検知部の検知結果に基づいて前記ドアを開く制御に変更してもよい。
【００１６】
前記縮小した状態で検知する前の前記検知エリア内で被検知物を検知する第４検知部と、
前記検知エリアがゼロより大きくて、かつ前記第４検知部の検知可能範囲より小さい第５検知部と、を更に備え、
前記エリア制御部は、前記検知エリアを縮小しない状態では前記第４検知部の検知結果に基づいて前記自動ドアを開く制御に変更し、前記エリア制御部が前記検知エリアを縮小した状態で検知する制御に変更する場合には前記第５検知部の検知結果に基づいて前記ドアを開く制御に変更してもよい。
【００１７】
前記エリア制御部は、前記検知エリアを縮小した状態で検知する前後で、前記検知エリアの検知可能範囲を同一とし、前記検知エリアを縮小した状態で検知するときには前記検知エリア内の一部の領域において前記検知エリアを縮小した状態で検知する前よりも前記被検知物を検知しにくくしてもよい。
【００１８】
前記エリア制御部は、前記検知エリアを縮小した状態で検知するときには、前記被検知物を検知する条件を前記検知エリアを縮小した状態で検知する前よりも厳しくしてもよい。
【００１９】
前記被検知物を検知する条件は、前記被検知物の移動速度及び移動方向の少なくとも一方を対応する閾値と比較した結果を含んでもよい。
【００２０】
前記エリア制御部が前記検知エリアを縮小した状態で検知することを通知する通知部を備えてもよい。
【００２１】
本発明の一態様では、自動ドアが不要な開状態となるか否かを予測する予測部と、
前記予測部によって前記自動ドアの不要な開状態が予測されたときに、前記自動ドア付近の被検知物を検知するための閾値を前記被検知物がより検知しにくくなる値に変更する閾値制御部を備える、自動ドアの制御変更装置が提供される。
【００２２】
前記閾値制御部は、前記ドアが開状態である場合に、前記予測部の予測に基づいて前記閾値を前記被検知物がより検知しにくくなる値に変更してもよい。
【００２３】
前記閾値制御部は、前記自動ドアの内外の気圧差と、前記自動ドアの外側の風速と、前記自動ドアの開閉動作領域内に存在する異物との少なくとも一つの情報を含む前記予測部の予測に基づいて前記閾値を前記被検知物がより検知しにくくなる値に変更してもよい。
【００２４】
前記閾値制御部は、前記予測部の予測に応じた重み情報で重み付けした予測補正情報に基づいて、前記閾値を前記被検知物がより検知しにくくなる値に変更してもよい。
【００２５】
前記重み情報は、前記自動ドア付近の通行量と、前記自動ドア付近に存在する特定種類の人間の数との少なくとも一方を含んでもよい。
【００２６】
前記自動ドアの内外それぞれの第１環境情報を検知する一対の第１センサと、前記ドアの外側の第２環境情報を検知する第２センサと、前記ドアの内外共通に用いられる第３環境情報を検知する第３センサと、の少なくとも一つを含む検知部を備え、
前記予測部は、前記第１、第２及び第３環境情報の少なくとも一つに基づいて、前記自動ドアが不要な開状態となるか否かを予測してもよい。
【００２７】
本発明の他の一態様では、建物開口のドア付近に設けられた検知エリア内の被検知物を検知する自動ドアセンサと、
前記自動ドアセンサの検知状態に応じて前記ドアを開く自動ドア制御部と、
前記自動ドア制御部が前記ドアを不要に開状態とするか否かを予測する予測部と、
前記予測部によって前記自動ドアの不要な開状態が予測されたときに、前記検知エリアを前記自動ドア制御部が前記ドアを不要に開状態とすると予測されていない場合に比べて縮小した状態で検知する制御又は人間の操作に基づいて前記ドアを開く制御に切り替えるエリア制御部と、を備える、自動ドア装置が提供される。
【発明の効果】
【００２８】
本発明によれば、ドアの不要な開状態となる予測情報が得られた場合には、ドアが不必要に開かなくなる。
【図面の簡単な説明】
【００２９】
【図１】第１の実施形態による自動ドアシステムの概略構成を示すブロック図。
【図２】自動ドアシステムの模式的な鳥瞰図。
【図３】第１の実施形態によるセンサ制御部の内部構成の一例を示すブロック図。
【図４】被検知物センサの設置箇所を示す図。
【図５】第１の実施形態によるセンサ制御部の処理動作を示すフローチャート。
【図６Ａ】通知部の具体的な通知態様の例を示す図。
【図６Ｂ】ドアの検知エリアが縮小されたことを通知する例を示す図。
【図６Ｃ】ドアの一部に手動モードである旨を表示する例を示す図。
【図６Ｄ】ドアの近くにいる通行者に検知エリアが縮小されたことを自動音声で通知する例を示す図。
【図７】第２の実施形態によるセンサ制御部の内部構成を示すブロック図。
【図８】第２の実施形態によるセンサ制御部の処理動作を示すフローチャート。
【発明を実施するための形態】
【００３０】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３１】
（第１の実施形態）
図１は第１の実施形態による自動ドアシステム１の概略構成を示すブロック図、図２は自動ドアシステム１の模式的な鳥瞰図である。図１の自動ドアシステム１は、ドア２１を自動で開閉する自動ドア装置２と、自動ドア装置２を制御する自動ドアセンサ３とを備えている。自動ドアセンサ３は、自動ドアの制御変更装置４の少なくとも一部を構成している。自動ドアシステム１は、ドア２１を通行しようとする通行者を自動ドアセンサ３で検知し、自動ドアセンサ３の検知に応じて、通行者を通行させるためにドア２１を開動作させる。
【００３２】
（自動ドア装置２）
自動ドア装置２は、ドア２１と、モータ２２と、ドア制御部２３とを備える。モータ２２は、図示しない電源の電力が供給されることで、ドア２１を自動で開閉するための回転力を発生させる。モータ２２の回転力は、図示しないプーリやタイミングベルトなどの動力伝達部材を介して図２に示す開閉方向ｄ１への並進力としてドア２１に伝達される。図２の例において、２つのドア２１は、引き分けタイプの引戸である。ドア２１の態様は図２の例に限定されず、例えば、片引きタイプの引戸、開き戸、折り戸、グライドドア２１などの様々な態様のドア２１を採用してもよい。
【００３３】
ドア制御部２３は、モータ２２および自動ドアセンサ３に接続されている。ドア制御部２３は、自動ドアセンサ３およびモータ２２から取得された信号または情報に基づいて、電力供給の制御によるモータ２２の駆動制御を行う。モータ２２の駆動制御を行うことで、ドア制御部２３は、ドア２１の駆動を制御する。モータ２２の駆動制御は、モータ２２の駆動の有無、駆動速度、駆動トルクおよび回転方向の少なくとも１つまたはこれらの２つ以上の組み合わせの制御である。
【００３４】
例えば、ドア制御部２３には、自動ドアセンサ３から、後述する有効検知エリア内の通行者や物体の検知に応じた開信号が入力される。ドア制御部２３は、開信号の入力に応じてドア２１を開方向に駆動する制御（以下、開駆動制御とも呼ぶ）を行う。
【００３５】
（自動ドアの制御変更装置４）
自動ドアの制御変更装置４は、検知エリア又は所定箇所の被検知物を検知してドア２１を開く制御を行う。自動ドアの制御変更装置４は、自動ドアセンサ３を備えている。また、自動ドアの制御変更装置４は、第１環境情報センサ１１と、第２環境情報センサ１２と、第３環境情報センサ１３との少なくとも一つを備えている。
【００３６】
自動ドアセンサ３は、ドア２１の通行者等を検知するために、ドア２１の上方の無目部２４の中央、より具体的には、全閉状態の２枚のドア２１の境界部の上方に設けられている。なお、自動ドアセンサ３は、無目部２４以外の場所（例えば、建物の天井）に設けられていてもよい。
【００３７】
図１に示すように、自動ドアセンサ３は、検知部（第４検知部）３１と、センサ制御部３２とを備える。センサ制御部３２は、検知部３１およびドア制御部２３に接続されている。また、センサ制御部３２は、後述する第１〜第３環境情報センサ１１〜１３の少なくとも一つに接続されている。センサ制御部３２は、例えば、ＣＰＵ（Central Processing Unit）、ＲＯＭ（Read Only Memory）およびＲＡＭ（Random Access Memory）などのハードウェアで構成される。センサ制御部３２の少なくとも一部をソフトウェアで構成してもよい。検知部３１は、投光部３１１と受光部３１２とを有する。センサ制御部３２は、第１〜第３環境情報センサ１１〜１３の少なくとも一つに基づいて、自動ドアシステム１が人間等を検知可能な範囲である検知エリア５の大きさを制御することができるが、まずは、センサ制御部３２の基本的な動作について説明する。
【００３８】
センサ制御部３２は、有効検知エリアを有する。有効検知エリアとは、図２に示すように、自動ドアセンサ３を用いて検知可能な床面６上の領域である検知エリア５のうち、ドア２１の通行者等の検知のために設定された少なくとも一部の範囲の領域である。
【００３９】
投光部３１１は、図示しない複数の投光素子を有する。投光部３１１は、複数の投光素子のそれぞれから検知エリア５にパルス状の近赤外光を投光すなわち照射する。受光部３１２は、投光部３１１の複数の投光素子のそれぞれに光学的に対応する図示しない複数の受光素子を有する。受光部３１２は、投光部３１１の複数の投光素子のそれぞれから検知エリア５に投光された近赤外光の反射光を複数の受光素子のそれぞれによって受光し、受光素子毎に近赤外光の反射光の受光量を検知する。受光部３１２は、検知された受光量を、受光量に応じた信号値を有する検知信号としてセンサ制御部３２に出力する。なお、投光部３１１及び受光部３１２は、近赤外光以外の周波数帯の光すなわち電磁波を投光および受光してもよい。
【００４０】
図２の例において、検知エリア５は、２枚のドア２１の正面においてドア２１の開閉方向ｄ１およびこれに直交する前後方向ｄ２に間隔を空けて配置された複数の小検知エリア５１で構成されている。図２の例では、小検知エリア５１は、６列×１２個の計７２個存在する。なお、小検知エリア５１の数やサイズ、具体的配置は任意である。
【００４１】
個々の小検知エリア５１は、投光部３１１の複数の投光素子のそれぞれから投光され、受光部３１２の複数の受光素子によってそれぞれ受光される近赤外光の照射スポットに対応している。
【００４２】
図２の例における有効検知エリアは、複数の小検知エリア５１のうち少なくとも１つの小検知エリア５１で構成される。なお、図２の例において、各小検知エリア５１は、円形状を有する。この場合の小検知エリア５１の床面６における直径は、例えば、１０ｃｍから３０ｃｍの間の任意の値に設定することができる。小検知エリア５１は、楕円形状、矩形状および多角形状などの円形状以外の形状を有していてもよい。
【００４３】
複数の小検知エリア５１のうちいずれの小検知エリア５１を有効検知エリアに設定するかについては、具体的な態様は特に限定されない。例えば、有効検知エリアは、自動ドアシステム１の使用開始前に予め設定されてもよい。また、有効検知エリアは、ドア２１位置等に応じて可変であってもよい。
【００４４】
センサ制御部３２は、投光部３１１の全ての投光素子に、それぞれに対応する小検知エリア５１に向けて近赤外光を投光させる。受光部３１２の全ての受光素子は、各小検知エリア５１からの近赤外光の反射光をそれぞれ受光する。そして、センサ制御部３２は、受光部３１２から入力された小検知エリア５１毎の検知信号のうち、有効検知エリアの検知信号を抽出する。そして、センサ制御部３２は、抽出された有効検知エリアの検知信号に基づいて、ドア２１の開閉制御を行う。
【００４５】
センサ制御部３２は、例えば、自動ドアシステム１の電源投入直後の有効検知エリアの検知信号の信号値（すなわち、受光量）を基準値として記憶しておき、基準値に対する信号値の変化量に基づいて通行者等の被検知物を検知してもよい。有効検知エリア内の通行者が検知された場合、センサ制御部３２は、自動ドア装置２のドア制御部２３に開信号を出力することで、有効検知エリアにおける検知結果をドア２１の開駆動制御に使用する。
【００４６】
また、センサ制御部３２は、モータ２２からドア２１の位置を示す位置信号を取得し、取得された位置信号に基づいてドア２１の位置を把握し、ドア２１の位置によってドア２１の開閉制御のアルゴリズムを変更してもよい。位置信号は、ドア２１の位置を検知できるのであれば具体的な態様は特に限定されない。例えば、位置信号は、モータ２２のホール素子の位相をもとに生成される。位置信号は、モータ２２の回転を検知する回転エンコーダ、またはドア２１の開閉位置を検知するために設けられるリニアエンコーダに基づく信号であってもよい。さらにモータ２２から直接取得せずにドア制御部２３を介して取得しても構わない。
【００４７】
なお、センサ制御部３２は、投光部３１１の全ての投光素子に近赤外光を投光させる代わりに、有効検知エリアに対応する投光素子のみに投光を行わせてもよい。この場合、近赤外光が投光された小検知エリア５１の全てが有効検知エリアとなる。有効検知エリアに対応する投光素子のみに投光を行わせることで、電力消費量を削減できる。また投光素子の寿命を長くすることもできる。
【００４８】
次に、センサ制御部３２の特徴的な動作を説明する。まずは、第１〜第３環境情報センサ１１〜１３（第３検知部、第１〜第３センサ）について説明する。第１〜第３環境情報センサ１１〜１３のうち少なくとも一つが設けられていればよい。
【００４９】
第１環境情報センサ（第１センサ）１１は、例えばドア２１が設置される建物の内側の環境情報を検知する。第２環境情報センサ（第２センサ）１２は、例えばドア２１が設置される建物の外側の環境情報を検知する。ドア２１が建物内の第１空間と第２空間とを仕切る場所に設置されている場合は、第１環境情報センサ１１は第１空間側の環境情報を検知し、第２環境情報センサ１２は第２空間側の環境情報を検知する。第１環境情報センサ１１と第２環境情報センサ１２とが検知する環境情報の具体的な内容は問わないが、例えば、温度、湿度、気圧、騒音等である。第１環境情報センサ１１と第２環境情報センサ１２のそれぞれは、複数種類の環境情報を検知する複数の環境情報検知部で構成されていてもよい。
【００５０】
第３環境情報センサ（第３センサ）１３は、建物の内外、又は上述した第１及び第２空間に共通する環境情報を検知する。例えば、第３環境情報センサ１３が検知する環境情報は、例えば、風速、気圧、騒音、通行量などである。環境情報として通行量を検知する場合、第３環境情報センサ１３は、撮像センサでもよい。第３環境情報センサ１３が撮像センサの場合、撮像された画像を分析する処理を第３環境情報センサ１３で行ってもよいし、この画像分析処理をセンサ制御部３２で行ってもよい。
【００５１】
第１〜第３環境情報センサ１１〜１３の設置場所は特に問わないが、例えば、第１環境情報センサ１１はドア２１の内側の無目部２４の付近に設置され、第２環境情報センサ１２はドア２１の外側の無目部２４の付近に設置される。第３環境情報センサ１３は、ドア２１の内外のどちらに設置されていてもよい。
【００５２】
センサ制御部３２は、第１環境情報センサ１１の検知データと第２環境情報センサ１２の検知データとを比較することによって、ドア２１の内外の環境情報の差違を検出できる。例えば、センサ制御部３２は、第１環境情報センサ１１の検知データと第２環境情報センサ１２の検知データとの比較により、ドア２１の内外の温度差や湿度差、気圧差などを検出できる。また、センサ制御部３２は、第３環境情報センサ１３の検知データに基づいて、ドア２１の内外に共通する環境情報を検出できる。例えば、センサ制御部３２は、第３環境情報センサ１３の検知データに基づいて、ドア２１の周辺の騒音やドア２１が受ける風圧、ドア２１の外側の通行量などを検出できる。
【００５３】
図３は第１の実施形態によるセンサ制御部３２の内部構成の一例を示すブロック図である。図３のセンサ制御部３２は、環境情報取得部３３と、予測部３４と、エリア制御部３５と、開閉制御部（駆動制御部）３６とを有する。センサ制御部３２には、第１〜第３環境情報センサ１１〜１３の少なくとも一つが接続されている。
【００５４】
環境情報取得部３３は、第１〜第３環境情報センサ１１〜１３の少なくとも一つで検知された環境情報を取得する。なお、後述するように、第１〜第３環境情報センサ１１〜１３以外の種々のセンサや検知部から環境情報を取得してもよい。予測部３４は、環境情報取得部３３で取得された環境情報に基づいて、ドア２１が不要な開状態となるか否かを予測する。ここで、ドア２１の不要な開状態とは、ドア２１を開く必要がないのにドア２１が開いている状態を指す。
【００５５】
環境情報取得部３３は、第１〜第３環境情報センサ１１〜１３とは別個に、ドア２１付近の被検知物を検知する第１検知部４４からの検知情報を取得してもよい。また、環境情報取得部３３は、ドア２１付近の降雪及び降雨の少なくとも一方を検知する第２検知部４６からの検知情報を取得してもよい。また、環境情報取得部３３は、ドア２１付近の環境情報を取得する第３検知部４７からの検知情報を取得してもよい。この第３検知部４７は、上述した第１〜第３環境情報センサ１１〜１３を含んでいてもよいし、第１〜第３環境情報センサ１１〜１３とは別個に設けてもよい。また、環境情報取得部３３は、検知エリアを縮小前の検知エリア内で被検知物を検知する第４検知部４８からの検知情報を取得してもよい。また、環境情報取得部３３は、ドア２１の近傍の所定箇所に人間が触れたことを検知する第４センサ４９ａと、人間がドア２１を手動で開方向に移動させたことを検知する第５センサ４９ｂとの少なくとも一方を有する第５検知部４９からの検知情報を取得してもよい。
【００５６】
予測部３４は、ドア２１の開状態から閉状態に至るまでの間に、ドア２１付近で検知部３１が被検知物を検知しない場合には、ドア２１の不要な開状態となると予測してもよい（以下、第１予測）。ドア２１付近での被検知物の検知は、検知部３１で行ってもよいし、検知部３１とは別個のセンサ（例えば、ドア２１を横切る方向の障害物を検知する補助センサ４１（後述する図４）やドアウェイ付近を撮像する撮像センサやカメラ部４５など）、あるいは上述した第１検知部４４〜第５検知部４９の少なくとも一つで行ってもよい。例えば、予測部３４は、ドア２１の開状態から閉状態に至るまでの間で、第１検知部４４が被検知物を検知していない場合に、不要な開状態となることを予測してもよい。
【００５７】
ここで、ドア２１の不要な開状態とは、ドア２１が開いている状態だけではなく、ドア２１がいったん閉じかけた後、開く方向に反転動作をする状態も含む趣旨である。例えば、ドア２１が閉じかけているときに、検知部３１が被検知物を検知すると、反転動作が生じる。ドア２１を通り抜ける人間が存在しないにもかかわらずドア２１を開状態に動作又は維持するのは本来的に不必要であり、ドア２１の外側の冷気や暖気が内側に入り込んで冷暖房効果を弱めたり、ドア２１の外側から埃や昆虫、雪、雨などが内側に入り込んだりする等の不具合が発生することから、上述した第１予測をしてもよい。
【００５８】
また、予測部３４は、検知エリア５外を撮影するカメラ部４５の撮影画像中にドア２１に向かって移動する人間が存在していない場合に不要な開状態となると予測してもよい。より具体的には、予測部３４は、検知エリア５外を撮影するカメラ部４５の撮影画像中にドア２１に向かって移動する人間が存在していないときに、ドア２１の不要な開状態となると予測してもよい（以下、第２予測）。検知エリア５外を撮影するカメラ部４５は、上述した第３環境情報センサ１３でもよいし、第３環境情報センサ１３とは別個に設けられてもよい。ドア２１に向かって移動する人間がいないにもかかわらずドア２１を開状態に動作又は維持するのは本来的に不必要であり、上述した不具合の要因になることから、上述した第２予測をしてもよい。
【００５９】
さらに、予測部３４は、第２検知部４６にて降雪及び降雨の少なくとも一方が検知されたときに、ドア２１の不要な開状態となると予測してもよい（以下、第３予測）。降雪や降雨の有無は、第２環境情報センサ１２や第３環境情報センサ１３にて検知してもよい。降雪や降雨の際に不必要にドア２１を開状態に動作又は維持すると、ドア２１の内側に雪や雨が降り込んで水浸しになるおそれがあることから、上述した第３予測をしてもよい。
【００６０】
また、予測部３４は、ドア２１周辺の種々の環境情報を、環境情報に応じた重み情報で重み付けした環境補正情報に基づいて、ドア２１の不要な開状態となるか否かを予測してもよい（以下、第４予測）。環境情報は、上述した第１〜第３環境情報センサ１１〜１３の少なくとも一つで検知される。環境補正情報は、例えば環境情報の値に、対応する重み情報の値を乗じることで計算される。環境情報は、温度、湿度、気圧、風速、騒音、粉塵、花粉、ＰＭ２．５等の粒子状物質、化学物質、及び黄砂の少なくとも一つの情報を含んでいてもよい。また、重み情報は、環境情報の種類に応じた値でもよい。あるいは、重み情報は、環境情報の値に応じた値であってもよい。例えば、重み情報は、ドア２１の外側の風速、騒音レベル、粉塵量、花粉量、化学物質量、黄砂量の少なくとも一つに応じた値の情報を含んでいてもよい。ドア２１の内外の環境情報が大きく相違する場合に不必要にドア２１を開状態に動作又は維持すると、ドア２１の内側の冷暖房効果が弱まったり、ドア２１の内側の空間の環境条件が悪化する等の不具合が発生することから、上述した第４予測をしてもよい。
【００６１】
エリア制御部３５は、予測部３４によってドア２１の不要な開状態が予測されたときに、ドア２１付近の被検知物を検知してドア２１を開動作させるために設けられている検知エリアをドア制御部２３がドア２１を不要な開状態とすると予測されていない場合に比べて縮小した状態で検知する制御又は検知エリアでの被検知物の検知に代えて人間の操作に基づいてドア２１を開く制御に変更する。ここで、検知エリアを縮小した状態で検知するとは、自動ドアセンサ３が検知可能な検知エリア自体を縮小してもよいし、或いは、自動ドアセンサ３が検知可能な検知エリア自体は縮小せずに、検知エリア内の一部の縮小エリアに被検知物が存在する場合にドア２１の開動作を行い、縮小エリア外の検知エリア内での被検知物の存在を無視する制御を自動ドア制御部２３が行ってもよい。以下では、「検知エリアを縮小した状態で検知する」ことを、「検知エリアを縮小する」と略して記載することもある。なお、本明細書では、エリア制御部３５が人間の操作に基づいてドア２１を開く制御に切り替える場合を、検知エリアを縮小する一例に含めて扱う。
【００６２】
より具体的には、エリア制御部３５は、予測部３４が所定期間内に所定回数以上、ドア２１が不要な開状態となると予測した場合に検知エリア５を縮小してもよい。また、エリア制御部３５は、予測部３４が、環境情報を重み情報で重み付けた環境補正情報に基づいて不要な開状態を予測する場合には、重み情報の値が大きいほど所定回数の値を小さくしてもよい。すなわち、重み情報の値が大きい場合には、対応する環境情報の重要度が高いと判断できるため、少ない数の予測回数で、検知エリア５を縮小してもよい。また、複数の環境情報に優先度を付けてもよく、優先度の高い環境情報に対応する重み情報の値をより大きくしてもよい。
【００６３】
検知エリア５の縮小の第１例は、被検知物が存在するか否かを検知する範囲（有効検知エリア）を狭くすることである。この第１例は、検知部３１内の投光部３１１から近赤外光を投光する範囲を狭めることで実現可能である。あるいは、投光部３１１の投光範囲は変えずに、受光部３１２で受光する受光素子の数を減らしてもよい。あるいは、図１の投光部３１１及び受光部３１２とは別個に、狭範囲内での被検知物を検知する別のセンサを設けてもよい。
【００６４】
検知エリア５の縮小の第２例は、被検知物が存在するか否かを検知する範囲は変えずに、その範囲内の少なくとも一部について、被検知物が存在すると判断する条件を厳しくすることである。条件を厳しくするとは、例えば、受光部３１２で受光する光の光量が閾値を超えると被検知物が存在すると判断する処理を行う場合、その閾値を高くすることである。閾値を高くすることにより、被検知物を検知しにくくなるため、検知エリア５を実質的に縮小したことと等価になる。検知エリア５内の一部の領域については、被検知物を全く検知しないようにしてもよい。この第２例は、例えば検知部３１内の受光部３１２の閾値設定を変えることで実現可能である。被検知物が存在すると判断する条件は、被検知物の移動速度や移動方向の少なくとも一つが閾値を超えたか否かで判断してもよい。この場合、条件を厳しくするとは、被検知物の移動速度と移動方向の少なくとも一方の許容範囲をより狭くすることが考えられる。例えば、被検知物の移動速度がより遅い場合のみ被検知物が存在すると判断するとか、被検知物の移動方向がドアの中央により近い方向の場合のみ被検知物が存在すると判断すること等が考えられる。
【００６５】
検知エリア５の縮小の第３例は、検知エリア５を縮小する前に被検知物の検知を行っていた受光部３１２とは別のセンサ（以下、被検知物センサ又は第５検知部４９と呼ぶ）を用いて、被検知物の検知を行うことである。この被検知物センサは、受光部３１２が被検知物を検知する範囲よりも狭い範囲で被検知物を検知する。被検知物センサは、図４に示すように、ドア２１の設置面から所定高さでドア２１を横切る方向に赤外線等を投光及び受光するセンサ（補助センサとも呼ばれる）４１でもよい。また、被検知物センサは、図４に示すように、ドア２１の所定箇所に取り付けられるタッチセンサ３８でもよい。タッチセンサ３８には、ドア２１を通過する通行者がタッチする接触式センサか、ドア２１を通過する通行者が手等をかざす非接触式センサが考えられる。接触式センサの場合、通行者がタッチしなければドア２１を開かないため、検知エリア５はゼロである。また、非接触式センサの場合、検知エリア５はゼロではないが、図１の投光部３１１及び受光部３１２の検知エリア５よりも検知可能な範囲は狭くなる。このように、タッチセンサ３８には、接触式センサと非接触式センサがあるため、本明細書では、通行者がタッチセンサ３８を直接触れる場合と、通行者がタッチセンサ３８に身体の一部をかざす場合とを含めて、タッチと呼ぶ。
【００６６】
この第３例では、縮小する前の検知エリア内で被検知物を検知する第４検知部４８と、ドア２１の近傍の所定箇所に人間が触れたことを検知する第４センサ４９ａと、人間がドア２１を手動で開方向に移動させたことを検知する第５センサ４９ｂとの少なくとも一方を有する第５検知部４９とを設けることで実現可能である。この場合のエリア制御部３５は、検知エリアを縮小しない状態では第４検知部４８の検知結果に基づいてドアを開く制御に変更し、エリア制御部３５が人間の操作に基づいてドアを開く制御に変更する場合には第５検知部４９の検知結果に基づいてドアを開く制御に変更する。
【００６７】
あるいは、上述した第２例では、縮小する前の検知エリア内で被検知物を検知する第４検知部４８と、検知エリアがゼロより大きくて、かつ第４検知部４８の検知可能範囲より小さい第５検知部４９とを設けることでも実現可能である。この場合のエリア制御部３５は、検知エリアを縮小しない状態では第４検知部４８の検知結果に基づいてドア２１を開く制御に変更し、エリア制御部３５が検知エリアを縮小する制御に変更する場合には第５検知部４９の検知結果に基づいてドアを開く制御に変更する。エリア制御部３５は、検知エリアを縮小する前後で、検知エリアの検知可能範囲を同一とし、検知エリアを縮小するときには検知エリア内の一部の領域において検知エリアを縮小する前よりも被検知物を検知しにくくしてもよい。あるいは、エリア制御部３５は、検知エリアを縮小するときには、被検知物を検知する条件を検知エリアを縮小する前よりも厳しくしてもよい。被検知物を検知する条件は、被検知物の移動速度及び移動方向の少なくとも一方を対応する閾値と比較した結果を含んでいてもよい。
【００６８】
検知エリア５がゼロの一具体例は、タッチセンサ３８であるが、必ずしもタッチセンサ３８には限らない。ドア２１を自動モードから手動モードに切り替えて、通行者がドア２１を自ら動かしてもよい。この場合、通行者がドア２１を動かそうとして力を加えたことを検知して、モータを駆動するアシスト動作を行ってもよい。これにより、通行者は、わずかな力でドア２１を手動で開くことができ、通行者の負担を軽減できる。このように、アシスト動作とは、人間がドア２１を手動で移動させるのに必要な動力の一部をモータ２２の駆動力にて負担することを指す。
【００６９】
エリア制御部３５が検知エリア５を縮小する際に、縮小前の検知エリア５で被検知物を検知する処理は継続して行ってもよい。すなわち、縮小後の検知エリア５内に被検知物が存在する場合のみドア２１の開閉制御を行うものの、縮小前の検知エリア５内で被検知物の存在の有無を継続して行ってもよい。これにより、検知エリア５の縮小後も、ドア２１に近づいてくる通行者の有無を検出したり、ドア２１の周囲の通行量を検出する処理を継続して行うことができる。
【００７０】
あるいは、エリア制御部３５が検知エリア５を縮小した後は、被検知物の存在有無の検知を別の検知手段（例えば、タッチセンサ３８など）に完全に切り替えて、検知部３１による被検知物の検知処理は停止させてもよい。これにより、自動ドアシステム１の制御を簡易化でき、消費電力の削減が図れる。
【００７１】
開閉制御部３６は、エリア制御部３５で制御される検知エリア５内で被検知物が検知されたか否かに応じて開信号又は閉信号を生成し、生成した開信号又は閉信号をドア制御部２３に伝送する。
【００７２】
図５は第１の実施形態によるセンサ制御部３２の処理動作を示すフローチャートである。このフローチャートは、自動ドアシステム１の電源がオンである間、継続して行われる。まず、環境情報取得部３３にて、ドア２１周辺の環境情報を取得する（ステップＳ１）。環境情報取得部３３は、第１〜第３環境情報センサ１１〜１３の少なくとも一つを用いて、環境情報を取得する。
【００７３】
次に、取得した環境情報を重み付けするか否かを判定する（ステップＳ２）。環境情報によっては、重み付けが必要になるが、必ずしもすべての環境情報が重み付けを必要とするとは限らないため、ステップＳ２で重み付けするか否かを判定する。
【００７４】
ステップＳ２で重み付けをすると判定された場合、環境情報に応じた重み情報を取得して、取得した重み情報を用いて環境情報を重み付けた環境補正情報を生成する（ステップＳ３）。重み情報は、環境情報の値に応じて異なる場合がありうるため、環境情報の値と重み情報の値との対応関係を予めテーブルに登録しておき、このテーブルを参照して、重み情報を取得してもよい。
【００７５】
ステップＳ３の処理が終了した場合、又はステップＳ２で環境情報を重み付けしないと判定された場合は、予測部３４が、不要な開状態となると予測したか否かを判定する（ステップＳ４）。例えば、予測部３４は、第１〜第３環境情報センサ１１〜１３に基づいてドア２１の不要な開状態となるか否かを予測する。
【００７６】
ステップＳ４で、予測部３４が不要な開状態となると予測した場合には、予測部３４が所定時間内に所定回数以上、不要な開状態となると予測したか否かを判定する（ステップＳ５）。所定回数は１回でもよいし、２回以上の予め定めた回数でもよい。所定時間内に所定回数に達した場合には、エリア制御部３５にて、検知エリア５を縮小する（ステップＳ６）。次に、縮小された検知エリア５内で検知部３１が被検知物を検知したか否かに応じて開信号又は閉信号を生成する（ステップＳ７）。この開信号又は閉信号はドア制御部２３に伝送される。
【００７７】
ステップＳ４で、予測部３４が不要な開状態となると予測しなかったと判定された場合、又は所定時間内に所定回数未満しか、予測部３４が不要な開状態となると予測しなかった場合には、検知エリア５を初期化する（ステップＳ８）。検知エリア５の初期化とは、検知エリア５の縮小を行わないことを意味し、検知部３１が被検知物を検知する範囲として予め想定している範囲に検知エリア５を設定する。次に、ステップＳ７に移行して、初期化した検知エリア５内で検知部３１が被検知物を検知したか否かに応じて開信号又は閉信号を生成する。
【００７８】
図５のステップＳ５で検知エリア５を縮小する際に、検知エリア５を縮小したことをドア２１の通行者に通知してもよい。この場合、図１に破線で示すように、センサ制御部３２には通知部３７が接続される。通知部３７は、エリア制御部３５が検知エリア５を縮小したことを通知する。
【００７９】
図６Ａは通知部３７の具体的な通知態様の例を示す図である。図６Ａ及び図６Ｂは、タッチセンサ３８が有効になったことを通行者に通知するためにタッチセンサ３８の周囲の表示態様を切り替えるものである。図６Ａはタッチセンサ３８にＬＥＤを取り付けて、ＬＥＤを点滅又は点灯させる例を示している。ＬＥＤの配置場所や点灯／点滅態様は任意である。図６Ｂはドア２１の一部を点灯又は点滅させるなどして、ドア２１の検知エリア５が縮小されたことを通知する例を示している。図６Ｂの場合、タッチセンサ３８ではなく、ドア２１を手動で開く手動モードに切り替わった場合に、通行者にその旨を通知することができる。例えば、通行者が手で把持するべき箇所を点灯又は点滅させて、通行者が手動モードに切り替わったことを認識できるようにする。
【００８０】
図６Ｃはドア２１が自動モードから手動モードに切り替わったことを通行者に通知するために、ドア２１の一部に手動モードである旨を表示する例を示している。図６Ｃの例では、ドア２１の一部又は全面に表示部４２を設けて、表示部４２に手動モードである旨を表示する。図６Ｄは、音声を出力するスピーカ４３を設けて、ドア２１の近くにいる通行者に検知エリア５が縮小されたことを自動音声で通知する例を示している。このように、通知部３７の具体的な通知態様には種々のものが考えられ、どのような通知態様を採用してもよい。
【００８１】
このように、第１の実施形態では、予測部３４がドア２１の不要な開状態となると予測したか否かを判定し、予測した場合には、検知エリア５を縮小する。よって、ドア２１を開状態にすることが望ましくないと予測される場合には、事前に検知エリア５を縮小でき、ドア２１が不用意に開く不具合を防止できる。
【００８２】
本実施形態によれば、例えば、ドア２１の内外の温度差や湿度差が大きい場合、ドア２１の外側の風速が強かったり、騒音が大きい場合、ドア２１の外側の空気が粉塵等で悪い場合等に、できるだけドア２１を開かないような制御を行うことができ、ドア２１の内側の環境条件の悪化を防止できる。また、ドア２１を不必要に開かないようにするため、風が強い場合や異物等によってドア２１を移動させるのにモータ２２に過大な負荷がかかる不具合を防止できる。さらに、ドア２１の外側の通行量が少ない場合には、ドア２１を通り抜ける通行者の数も少ないと判断できるため、できるだけドア２１を開かないような制御を行うこともできる。
【００８３】
（第２の実施形態）
第２の実施形態は、予測部３４がドア２１の不要な開状態となると予測した場合には、ドア２１を停止又は開く方向に駆動するための閾値を高くするものである。
【００８４】
第２の実施形態による自動ドアシステム１は、図１と同様のブロック構成を備えているが、センサ制御部３２の内部構成が図３とは異なっている。図７は第２の実施形態によるセンサ制御部３２の内部構成を示すブロック図である。図７のセンサ制御部３２は、環境情報取得部３３と、予測部３４と、閾値制御部３９と、開閉制御部３６とを有する。このように、図７のセンサ制御部３２は、図３のエリア制御部３５の代わりに、閾値制御部３９を有する。なお、図７のセンサ制御部３２に図３のエリア制御部３５を追加してもよいし、図３のセンサ制御部３２に図７の閾値制御部３９を追加してもよい。
【００８５】
予測部３４は、第１の実施形態と同様に、環境情報取得部３３で取得された環境情報に基づいて、ドア２１が不要な開状態となるか否かを予測するが、予測する判断基準が第１の実施形態とは少し異なっている。
【００８６】
本実施形態の予測部３４は、ドア２１を開いたままで停止させるか、あるいは閉まっているドア２１を開く動作を行うか否かの判定基準となる閾値を高くする必要があるときに、不要な開状態となると予測する。例えば、本実施形態の予測部３４は、ドア２１の内外の気圧差と、ドア２１の外側の風速と、ドア２１の開閉動作領域内に存在する異物との少なくとも一つの情報に基づいて、不要な開状態となるか否かを予測してもよい。
【００８７】
センサ制御部３２には、第１の実施形態と同様に、第１〜第３環境情報センサ（第１〜第３センサ）１１〜１３の少なくとも一つが接続される。例えば、第１及び第２環境情報センサ１１，１２を用いる場合は、これらセンサにて、ドア２１の内外の気圧や風速を検知することが考えられる。また、ドア２１の内外共通に用いられる第３環境情報センサ１３を用いる場合は、風速やドア２１に当たる風圧を検知するセンサを用いてもよいし、あるいはドア２１の移動経路上に存在する異物を検知する撮像センサを用いてもよい。予測部３４は、第１〜第３環境情報センサ１１〜１３の少なくとも一つで検知された環境情報に基づいて、ドア２１が不要な開状態となるか否かを予測する。
【００８８】
閾値制御部３９は、予測部３４がドア２１の不要な開状態となると予測した場合に、ドア２１を停止又は開く方向に駆動するための閾値を高くする。例えば、閾値制御部３９は、ドア２１が開状態である場合に、予測部３４の予測に基づいて、閾値を被検知物がより検知しにくくする値に変更してもよい。より具体的には、閾値制御部３９は、ドア２１を駆動するモータの駆動トルクと、ドア２１の動作状況と、予測部３４の予測結果とに基づいて、閾値を制御してもよい。また、閾値制御部３９は、予測部３４が所定期間内に所定回数以上、ドア２１の不要な開状態となると予測した場合に、閾値を高くしてもよい。これは、予測部３４が誤って不要な開状態となると予測することもありうることから、所定回数以上、予測部３４が不要な開状態となると予測したときに閾値を高くすれば、予測部３４によるドア２１の不要な開状態の予測精度を向上させることができるためである。
【００８９】
予測部３４がドア２１の不要な開状態となると予測したときに閾値を上げる程度を複数段階に切り替えてもよい。例えば、閾値制御部３９は、自動ドアの内外の気圧差と、自動ドアの外側の風速と、自動ドアの開閉動作領域内に存在する異物との少なくとも一つの情報を含む予測部の予測に基づいて被検知物を検知しにくくなるように変更してもよい。また、閾値制御部３９は、風速や気圧の大きさに応じて、閾値を上げる程度を切り替えてもよい。あるいは、検出された異物のサイズや種類に応じて、閾値を上げる程度を切り替えてもよい。あるいは、予測部３４がドア２１の不要な開状態となると予測した回数に応じて、閾値を上げる程度を切り替えてもよい。例えば、異物の検出回数が多いほど、閾値を大きくしてもよい。
【００９０】
また、閾値を重み情報にて重み付けしてもよい。重み情報は、自動ドア２１付近の通行量や、自動ドア２１付近に存在する特定種類の人間の数との少なくとも一方に応じて調整してもよい。特定種類の人間とは、例えば高齢者や障害者である。ドア２１の外側に高齢者や障害者が存在する場合には、重み情報を大きくして閾値を大きくすることで、高齢者や障害者が閉まりかけているドア２１に挟まれる事故を防止できる。この場合、閾値制御部３９は、予測部３４の予測に応じた重み情報で重み付けした予測補正情報に基づいて、閾値を被検知物を検知しにくくなるように変更してもよい。
【００９１】
さらに、閾値制御部３９は、ドア２１を開閉動作させる駆動力を発生するモータ２２の駆動トルクと、ドア２１の動作状況と、予測部３４による予測結果とに基づいて、閾値を制御してもよい。例えば、ドア２１を押しつける風圧が強い場合や、移動経路上に異物が存在する場合には、ドア２１を移動させる際の駆動トルクが通常よりも大きくなるため、駆動トルクが通常より大きい場合には閾値をより大きくしてもよい。
【００９２】
図８は第２の実施形態によるセンサ制御部３２の処理動作を示すフローチャートである。このフローチャートは、図５と同様に自動ドアシステム１の電源がオンである間、継続して行われる。ステップＳ１１〜Ｓ１５は、図５のステップＳ１〜Ｓ５と同様の処理である。予測部３４がドア２１の不要な開状態となると予測した場合、所定時間内に所定回数以上、予測部３４がドア２１の不要な開状態になると予測したか否かを判定する（ステップＳ１５）。所定時間内に所定回数に達した場合には、閾値を高くする（ステップＳ１６）。なお、所定回数は１回でもよいし、２回以上の予め定めた回数でもよい。
【００９３】
ステップＳ１４で予測部３４がドア２１の不要な開状態となると予測しなかった場合、又は所定時間内に所定回数未満しか、予測部３４がドア２１の不要な開状態になることを予測しない場合は、閾値の変更は行わず、図５のステップＳ７，Ｓ８と同様の処理を行う（ステップＳ１７，Ｓ１８）。センサ制御部３２は、検知部３１での検知データを、ステップＳ１６で高くした閾値、あるいは元の閾値と比較して、開信号又は閉信号をドア制御部２３に伝送する。
【００９４】
例えば、ドア２１の外側の風が強い場合には、ドア２１の内側に、埃や風雨等を含む外気が入り込みやすくなるとともに、ドア２１に大きな風圧がかかるため、ドア２１が移動しづらくなる。よって、この場合、閾値を高くして、ドア２１をできるだけ開けないようにする。また、ドア２１の周囲に異物が存在する場合、その異物が風等で飛ばされてドア２１の内側に入り込んだり、ドア２１の移動経路に異物が挟まってドア２１の移動を妨げたりするため、ドア２１の周囲に異物が検出されると、閾値を高くしてドア２１をできるだけ開けないようにしてもよい。より具体的には、異物が泥や氷雪の場合に、異物がドア２１の移動経路上に存在することがわかると、閾値を高くして、異物がドア２１の内側に入り込まないようにしてもよい。一方、異物がパチンコ玉のような剛体の場合、異物がドア２１の移動経路上に存在することがわかると、閾値を高くせずにドア２１を停止させて、ドア２１を手動モードに切り替えてもよい。
【００９５】
このように、第２の実施形態では、予測部３４がドア２１の不要な開状態となると予測した場合には、ドア２１を停止又は開く方向に駆動するための閾値を高くするため、ドア２１を開状態にするのが望ましくない場合に、ドア２１ができるだけ開かないような制御を行うことができ、ドア２１の内側に異物等が入り込む不具合を防止できる。
【００９６】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。  
【符号の説明】
【００９７】
１  自動ドアシステム、２  自動ドア装置、３  自動ドアセンサ、４  自動ドアの制御変更装置、５  検知部、１１  第１環境情報センサ、１２  第２環境情報センサ、１３  第３環境情報センサ、２１  ドア、２２  モータ、２３  ドア制御部、２４  無目部、３１  検知部、３２  センサ制御部、３３  環境情報取得部、３４  予測部、３６  閾値制御部、３７  通知部、３８  タッチセンサ、３９  閾値制御部、４１  補助センサ、４２  表示部、４３  スピーカ、５１  小検知エリア、３１１  投光部、３１２  受光部
【図１】
2019218783.tif 000003
【図２】
2019218783.tif 000004
【図３】
2019218783.tif 000005
【図４】
2019218783.tif 000006
【図５】
2019218783.tif 000007
【図６Ａ】
2019218783.tif 000008
【図６Ｂ】
2019218783.tif 000009
【図６Ｃ】
2019218783.tif 000010
【図６Ｄ】
2019218783.tif 000011
【図７】
2019218783.tif 000012
【図８】
2019218783.tif 000013